(57)【要約】【課題】  波形屋根の上に防水用や防根用のシートを敷設する必要がなく植物、例えば天然芝生を成育できるようにし、また、大雨は勿論、通常の降雨時や灌水時の余分な水を効率良く排水させて、根腐れを防止すること。【解決手段】  波形屋根１０は谷部１２と山部１１とが交互に形成されていて、立設する谷部１２間には上面が開口した断面が略Ｖ字状の空間部１３が形成されている。この波形屋根１０の上面に無機繊維からなる培地２０を支持体１を介して配設する。支持体１には多数の穴が穿孔されており、この穴を介して培地２０の下面は空気と接触する構造となっている。培地２０により天然芝生２３を成育させる。また、散水ホースを培地２０の上面や波形屋根１０の谷部１２の上面などに配置して、該散水ホースにより培地２０に給水を行なう。【選択図】        図１
2005124434.tif 000002
【特許請求の範囲】
【請求項１】
断面が略ジグザグ状に形成されている波形屋根（１０）の上面に、下面が空気と接触するように開放されていて植物成育用の無機繊維からなる培地（２０）を配設していることを特徴とする波形屋根の緑化システム。
【請求項２】
下面が空気と接触するように開放されていて植物成育用の無機繊維からなる培地（２０）と、この培地（２０）を上面にて支持すると共に、多数の開口部２を有する支持体（１）とで緑化ユニット（Ａ）を構成し、この緑化ユニット（Ａ）を断面が略ジグザグ状に形成されている波形屋根（１０）の上面に配設していることを特徴とする波形屋根の緑化システム。
【請求項３】
前記培地（２０）の上面に散水ホース（４０）を配設していることを特徴とする請求項１または請求項２に記載の波形屋根の緑化システム。
【請求項４】
前記波形屋根（１０）の谷部（１２）の上面に培地（２０）の下面に向けて散水を行なう散水ホース（４０）を配設していることを特徴とする請求項１または請求項２に記載の波形屋根の緑化システム。
【請求項５】
前記培地（２０）は上層培地マット（２１）と下層培地マット（２２）との２層で構成され、前記上層培地マット（２１）と下層培地マット（２２）との間に散水ホース（４０）を配設していることを特徴とする請求項１〜請求項４にいずれか記載の波形屋根の緑化システム。
【請求項６】
前記散水ホース（４０）は、３つの通水路（４３ａ）（４３ｂ）（４３ｃ）が並設されていて、偏平に形成されていることを特徴とする請求項１〜請求項５にいずれか記載の波形屋根の緑化システム。
【請求項７】
前記散水ホース（４０）の一端を閉塞すると共に、散水ホース（４０）の他端側に水道水と接続される給水タイマー部（５０）を設け、この給水タイマー部（５０）により任意の時刻に任意の時間給水を行なうようにしていることを特徴とする請求項３〜請求項６にいずれか記載の波形屋根の緑化システム。
【発明の詳細な説明】
【技術分野】
【０００１】
本発明は、一般の家屋や建築物の屋根の上に植物を植栽するものに関するものであり、特に、屋根の形状が波形の場合の波形屋根の緑化システムに関するものである。
【背景技術】
【０００２】
従来よりビルなどの建物の屋上に大きな鉢に木々を植え込んで緑化が進められてきているが、特に最近では、都市部でのヒートアイランド現象の対策として、緑化が一層期待されている。周知のように都市部では木々が少なく、建築物のコンクリートが外気にむき出しとなり、コンクリートに熱が吸収されることで、建物内での冷房能力を上げることになり、その排気熱と相まって都市部では、一層悪循環となっている。
【０００３】
そこで、ビルの屋上を緑化するために種々の提案がされているが、その多くは屋上の床面が平らな場合であり、建築物の屋根が波形の場合では緑化への提案があまりなされていない。その波形屋根の緑化システムの例としては、例えば下記の特許文献１が挙げられる。
【０００４】
【特許文献１】特開２０００−３２４９５３号公報
【０００５】
この特許文献１においては、植物の成育用の培地材と、この培地材を収納する箱状のベース板とからなる緑化ユニットを傾斜した勾配屋根に敷設するようにしたものである。そして、緑化ユニットに灌水パイプを配設し、傾斜を利用して培地材に給水を行なっている。
【０００６】
しかしながら、この特許文献１では、ベース板の底板に排水孔が設けられているものの、具体的に図示されていないため、小さな孔と思われ、また、ベース板の底板によりベース板の下面、つまり、培地材の下面は排水孔を除いた略全体にわたって閉塞された構造となっている。
そのため、施工後の排水の観点から考慮すると、雨が大量に降った場合には小さな排水孔では水はけが非常に悪く根腐れを起こすという問題を有している。さらに、植物の根の部分が直接空気と接触する箇所がないために、下方から根に空気、つまり酸素の供給が出来ない構造となっている。
【０００７】
また、植物に灌水する場合に、その灌水が常に最適な量を与えるとは限らず、給水の量が少なすぎては植物が枯れてしまう恐れがある。特に、容易に出入りが可能な一般のビルの屋上ではなく、波形屋根の上には容易に上がることができる構造とはなっていないので、植物の状態を常に監視することができないので、多量に給水を行なうことになる。
これは、給水量が少ないと植物が枯れるおそれがあり、植物が枯れるのを防止するためにどうしても給水の量が多くなってしまう。そのため、特許文献１の排水構造ではスムーズに排水できない構造となっているので、多量の給水による飽和した余分な水により根腐れを起こしてしまうという問題を有している。
【０００８】
また、特許文献１では、ベース板の底面が全体にわたって閉塞されているので、その分重量が重くなり、既設の波形屋根に施工できない場合もある
【発明の開示】
【発明が解決しようとする課題】
【０００９】
本発明は上述の問題点に鑑みて提供したものであって、少なくとも以下の目的を備えた波形屋根の緑化システムを提供するものである。
（１）波形屋根の場合でも、緑化を可能として特に夏場の断熱を行ない冷房に要するコストを削減すること。
（２）波形屋根の上に防水用や防根用のシートを敷設する必要がなく植物、例えば天然芝生を成育できること。
（３）風がある場合でも、周囲の環境に関係なく水が飛び散ることがなく周囲に迷惑をかけることなく植物に灌水できるようにすること。
（４）散水された水は無駄なく培地に給水できるようにすること。
（５）大雨は勿論、通常の降雨時や灌水時の余分な水を効率良く排水させて、根腐れを防止すること。
（６）培地の下方には空間を設けて、培地より下方に伸びようとする根の成長を止めて防根シートなどを不要とすること。
（７）散水用のホースの施工が容易であること。
【課題を解決するための手段】
【００１０】
そこで、本発明の請求項１記載の波形屋根の緑化システムでは、断面が略ジグザグ状に形成されている波形屋根１０の上面に、下面が空気と接触するように開放されていて植物成育用の無機繊維からなる培地２０を配設していることを特徴としている。
【００１１】
請求項２に記載の波形屋根の緑化システムでは、下面が空気と接触するように開放されていて植物成育用の無機繊維からなる培地２０と、この培地２０を上面にて支持すると共に、多数の開口部２を有する支持体１とで緑化ユニットＡを構成し、この緑化ユニットＡを断面が略ジグザグ状に形成されている波形屋根１０の上面に配設していることを特徴としている。
【００１２】
請求項３に記載の波形屋根の緑化システムでは、前記培地２０の上面に散水ホース４０を配設していることを特徴としている。
【００１３】
請求項４に記載の波形屋根の緑化システムでは、前記波形屋根１０の谷部１２の上面に培地２０の下面に向けて散水を行なう散水ホース４０を配設していることを特徴としている。
【００１４】
請求項５に記載の波形屋根の緑化システムでは、前記培地２０は上層培地マット２１と下層培地マット２２との２層で構成され、前記上層培地マット２１と下層培地マット２２との間に散水ホース４０を配設していることを特徴としている。
【００１５】
請求項６に記載の波形屋根の緑化システムでは、前記散水ホース４０は、３つの通水路４３ａ、４３ｂ、４３ｃが並設されていて、偏平に形成されていることを特徴としている。
【００１６】
請求項７に記載の波形屋根の緑化システムでは、前記散水ホース４０の一端を閉塞すると共に、散水ホース４０の他端側に水道水と接続される給水タイマー部５０を設け、この給水タイマー部５０により任意の時刻に任意の時間給水を行なうようにしていることを特徴としている。
【発明の効果】
【００１７】
本発明によれば、略ジグザグ状の波形屋根１０の形状を利用することで、培地２０の下面は波形屋根１０の空間部１３と接触することになり、植物、例えば天然芝生２３の根に酸素を供給できると共に、根が空気と接触することで、根の成長が停止して根はそれ以上伸びず、これにより、波形屋根１０の上には防根シートなどを不要とすることができる。
また、緑化ユニットＡを波形屋根１０の上面に敷設することで、夏場では建物内の温度の上昇を防止し、冷房に要するコストを削減でき、そのため、ＣＯ2 （二酸化炭素）の削減に供することができる。
【００１８】
散水ホース４０から水を培地２０に向けて散水した場合、培地２０は無機繊維の構造となっているので毛細管現象により上方、あるいは下方へと水が培地２０内に浸透していき、また、余分な水は無機繊維の上層培地マット２１から下層培地マット２２へと（１層の培地２０の場合は上部から下部へと）伝っていき、さらに下層培地マット２２の下面から水が落下していく。そして、下層培地マット２２（培地２０）から落下した水は、波形屋根１０の空間部１３から既設の排水用の樋へと流れ、通常の雨水の場合と同様に排水されるようになっている。
したがって、培地２０の下面は、防根用のシートを敷設せず、波形屋根１０の空間部１３を利用しているので、散水時における余分な水は培地２０内に溜まることなく空間部１３を介して樋へとスムーズに排水されるようになっている。そのため、培地２０内で根腐れを起こすこともない。
【００１９】
また、散水ホース４０を上層培地マット２１と下層培地マット２２との間に配設している場合には、散水された水は無駄なく培地２０に給水でき、また、大雨はもちろん、通常の降雨時や散水時においても、飽和した場合などの余分な水は効率良く排水され、根腐れを確実に防止できる。
さらに、下層培地マット２２の上面側や、波形屋根１０の谷部１２の上に配設している場合には、散水ホース４０が外観に現れることがなく、美観を損ねることもない。また、天然芝生２３は上から散水する必然性もなく、根に給水を行なえば良く、培地２０の下方や培地２０の内部から散水ホース４０にて散水させることで、建物の屋上での水やりにスプリンクラーや散水パイプで散水するのと比べて、屋上のパラペットが低かったり、風があっても水が周囲に飛び散るということもなく、周囲に迷惑をかけるということもない。
【００２０】
また、散水ホース４０は、３つの通水路４３ａ、４３ｂ、４３ｃが並設されていて、偏平に形成されているので、培地２０の下面や内部に満遍なく散水することができる。しかも、散水ホース４０を偏平としているので、単に波形屋根１０の谷部１２や下層培地マット２２の上面に配設する場合でも、穴４１の位置が特定されているので、穴４１の位置を気にすることなく配設できて、散水ホース４０の施工が容易となる。また、下層培地マット２２の上面に配設しても、散水ホース４０の厚みが薄いので、上層培地マット２１の膨らみもあまり目立たず、隣接する建物から見られてもそれほど違和感を与えることもない。
【００２１】
また、散水ホース４０の一端を閉塞すると共に、散水ホース４０の他端側に水道水と接続される給水タイマー部５０を設け、この給水タイマー部５０により任意の時刻に任意の時間給水を行なうようにしているので、緑化ユニットＡへの散水を完全に無人化（自動化）することができ、いちいち波形屋根１０の上に上がって緑化ユニットＡに散水を行なう必要がなく、また、散水を忘れることがないので、緑化ユニットＡの天然芝生２３などの植物を枯れさせるということもない。
【発明を実施するための最良の形態】
【００２２】
（第１の実施の形態）
以下、本発明の第１の実施の形態を図面を参照して詳細に説明する。図１は本発明に係る緑化ユニットＡを波形屋根１０の上に配設した状態の図を示し、図２は緑化ユニットＡの分解図を示している。
この緑化ユニットＡは、植物、例えば天然芝生２３を育苗、成育させるための無機繊維からなる培地２０と、この培地２０を上面に配設すると共に、波形屋根１０の上面に配設する板状の支持体１とで構成されている。
【００２３】
図３は緑化ユニットＡの平面図を示し、図４は支持体１の平面図を示している。緑化ユニットＡは所定の寸法で形成されていて、複数の緑化ユニットＡを波形屋根１０の上に覆設し、波形屋根１０の上面を緑化するようにしている。
また、緑化ユニットＡを波形屋根１０の上面に配設するものであるから、できるだけ軽量化が望ましく、培地２０の厚さも、例えば、４０ｍｍ〜８０ｍｍ程度、好ましくは、５０ｍｍ〜７０ｍｍの厚さとなるようにしている。
【００２４】
折版屋根などの波形屋根１０は、周知のように山部１１と谷部１２とが交互に形成された断面が略ジグザグ状に形成されていて、波形屋根１０の谷部１２で建物の梁などに架橋されて固定される。また、波形屋根１０の上面は山部１１が位置しており、隣接する山部１１の間で上面が開口され断面が略Ｖ字状の空間部１３が形成されている。
波形屋根１０が施工された後は、波形屋根１０の両側は開口されていて、波形屋根１０の上面に緑化ユニットＡを敷設しても空間部１３は外気と連通した状態となっている。
【００２５】
波形屋根１０の山部１１の上に配設される支持体１は、図４に示すように例えばパンチングメタルで構成されており、多数の円形の開口部２が形成されている。この開口部２はできるだけ大きく形成するようにしており、培地２０の下面がこの開口部２を介して空気と接触するようにしている。
培地２０の下面は空気とできるだけ接触させるために開口部２を大きくすることは、その分、支持体１自体の重量も軽量化できるので、培地２０の下面を空気と接触させることと相まって一石二鳥となる。
【００２６】
なお、支持体１の材料は上述したパンチングメタルに限らず、図５に示すようなエキスパンドメタルや、溶接金網、クリンプ金網、亀甲金網、フェンスなどを用いるようにしても良い。
図５に示すように、金属線などで支持体１を形成した場合には、図４に示す場合と比べて培地２０の下面を空気と接触させるための開口部２の面積を大きくとることができると共に、重量も軽量化することができる。
【００２７】
また、支持体１の開口部２はその他に、培地２０から排水される余分な水を通過させる機能をも持ち、更には、支持体１は波形屋根１０の上で緑化ユニットＡの施工作業を行なう場合の足場材をも兼ねさせることができる。
なお、支持体１は緑化ユニットＡに必ずしも必要な部材ではなく、１ユニット当たりの培地２０の面積を大きくとることで、支持体１が不要な場合もある。しかし、支持体１を用いる方が好適例である。
【００２８】
次に、支持体１の上面に配置する培地２０の構造ないし構成について説明する。図１及び図２に示すマット状の培地２０は、土や、従来のパーライト、バーミキュライト、セラミック粒、有機繊維、樹脂類等やこれらと土を混合した類の人工培土を一切使用せずに、ロックウール、スラグウール、岩綿、グラスウール、セラミックウール等の無機繊維のみを材料としているものである。
この培地２０の材料として、上述したように無機繊維を使用しているので（土を使用していないので）、本発明の緑化ユニットＡを建物の波形屋根１０の上面に施工した場合、降雨時や散水時における濁り水（土汁）が流れ出ることはない。また、建築物の波形屋根１０に別途排水口ないし排水溝を形成する必要がなく、波形屋根１０に設けられる通常の雨樋を介して排水されるので、波形屋根１０の排水口のメンテナンスは不要である。
【００２９】
また、培地２０を無機繊維で構成しているので、繊維質の特徴である透水性、保水性、保肥性を、その嵩密度で調整できる利点がある。本発明では、培地２０の嵩密度を６０ｋｇ／ｍ3 〜２００ｋｇ／ｍ3 の範囲の中で任意の嵩密度のものを用いている。
なお、本発明では、特に、８０ｋｇ／ｍ3 〜１２０ｋｇ／ｍ3 が好適例である。
【００３０】
また、培地２０の下面は支持体１の開口部２を介して波形屋根１０の空間部１３と面しているので、排水性を良くしていると共に、空間部１３及び開口部２を介して培地２０の下面が空気と接触しているので、天然芝生２３の根に酸素を培地２０の繊維質の空隙を利用して供給することができる。
さらに、培地２０の下面まで伸びてきた根は支持体１の開口部２の空気に触れて成長が止まるものであり、空間部１３へは根は伸びないものである。そのため、波形屋根１０等の施工面には防根対策が不要となり、コストを削減することができる。
【００３１】
次に、上記緑化ユニットＡへの散水方法について説明する。図６及び図７に示すように、散水ホース４０を培地２０の上面に配設し、この散水ホース４０により培地２０に給水を行なうようにしたものである。
なお、後述するように構造による水の給水方法が異なる散水ホースを用いるので、総称して散水ホース４０を用いるが、個々の散水ホース４０に対してはａ、ｂ、ｃ等のようにアルファベットの小文字を付けて説明する。
【００３２】
図６及び図７に用いている散水ホース４０ａは、断面を略円形とし、水道に接続して水圧をかけると散水ホース４０ａの表面から水が染み出す染み出し式のホースや、点滴のようにポトポトと水滴が落ちる点滴式のホースを用いた場合である。また、散水ホース４０ａの数は図示例では３本用いているが、本数は限定されない。なお、この散水ホース４０ａの末端は器具（図示せず）により閉塞されている。
【００３３】
図８〜図１０に散水ホース４０の他の例を示す。この例では散水ホース４０ｂ自体の形状を偏平な形状とし、３つの通水路４３ａ、４３ｂ、４３ｃを備えている。これらの通水路４３ａ、４３ｂ、４３ｃの形状の断面を横向きの楕円形として散水ホース４０ｂの上下方向の厚みを約６ｍｍとしている。
また、図１０に示すように散水ホース４０ｂの各通水路４３ａ、４３ｂ、４３ｃの上方にはスリット状の穴４１をそれぞれ所定間隔毎に設けている。そして、散水ホース４０ｂの中央の通水路４３ｂの穴４１からは水が真上方向に噴射し、左側の通水路４３ａの穴４１からは水が左方向に噴射し、右側の通水路４３ｃの穴４１からは水が右方向に噴射するようになっている。なお、穴４１はスリット状でなく、円形としても良いのはもちろんである。
【００３４】
図８では、散水ホース４０ｂの上記穴４１を下面にして培地２０の上面に配置した場合を示し、散水ホース４０ｂの各通水路４３ａ、４３ｂ、４３ｃの各穴４１から培地２０に向けて散水する。この散水ホース４０ｂは上述したように３つの通水路４３ａ、４３ｂ、４３ｃの穴４１から真下方向と左右方向に向けて散水されるので、広い面積にわたって水を培地２０に満遍なく散水することができる。
【００３５】
図１１は散水ホース４０ｂを培地２０の下方であって波形屋根１０の谷部１２の上面にその長手方向に沿って配設した場合である。この場合は、もちろん穴４１を上に向けて散水ホース４０ｂを配設するものであり、水圧により穴４１からの水は、真上方向と左右方向に勢い良く噴射される。
散水ホース４０ｂから噴射された水は、支持体１の開口部２を介して培地２０の下面に散水され、真上方向と左右方向にわたって広い面積に満遍なく散水される。そして、培地２０内では無機繊維質故に毛細管現象により水が上昇して培地２０の内部全体にわたって水が浸透していく。
【００３６】
もちろん、散水ホース４０ｂにて噴射された水が支持体１の下面や培地２０の下面に当たって落下した水は、波形屋根１０の谷部１２の上面（空間部１３）を伝って既設の樋へと排水される。
【００３７】
図１２は断面を円形とした散水ホース４０ｃを培地２０の下方であって波形屋根１０の谷部１２の上面に配設した場合を示すものであり、図１１の場合と同様に培地２０の下方から散水するようにしたものである。この散水ホース４０ｃは図１３及び図１４に示すように、散水ホース４０ｃの上面に穴４１が長手方向に沿って複数穿孔されている。
散水ホース４０ｃの穴４１は該散水ホース４０ｃの長手方向に沿って所定の間隔毎に穿孔したものであり、散水ホース４０ｃ内の水圧により図１４に示すように噴水状に上方へ高く勢い良く散水（噴射）される。なお、穴４１の間隔は特に限定されるものではなく、培地２０に効率良く保水されるようにすれば良い。また、この散水ホース４０ｃの材料は、金属製でも、可撓性を備えた合成樹脂製でも良く、後から適宜穴４１を穿孔するようにしている。
【００３８】
また、図１５に示すように散水ホース４０ｃの穴４１の形状も、円形以外にスリット状の長穴形状としても良い。図１２及び図１３においては、散水ホース４０ｃの穴４１は、長手方向に沿って１条のみとしているが、図１６に示すように、横方向に３つ穿孔するようにしても良い。
図１６（ａ）は３つの穴４１を横方向に直線状に設けた場合を示し、図１６（ｂ）は３つの穴４１を斜めに形成した場合を示している。図１４の場合では、穴４１が噴射される水は真上方向であるが、横方向に３つの穴４１を形成することで、図１７に示すように真上方向、左右方向へと散水ホース４０ｃの上方へ満遍なく水を噴射させることができる。これにより、１本の散水ホース４０ｃから培地２０の下面に散水する面積を広くでき、効率良く培地２０に満遍なく散水することができる。
【００３９】
（第２の実施の形態）
図１８は第２の実施形態を示し、この実施形態では培地２０を１層ではなく、２層で構成したものである。このマット状の培地２０は、図示するように育苗用マットとしての上層培地マット２１と、成育用マットとしての下層培地マット２２との複数層で構成されており、上層培地マット２１に地被植物である天然芝生の種を蒔いて発芽させ、上層培地マット２１の上面で天然芝生２３を育苗している。
また、下層培地マット２２は、上層培地マット２１で伸びてきた天然芝生２３の根を浸透させて、該天然芝生２３の根を成育させるようにしている。なお、上層培地マット２１と下層培地マット２２との２層で構成した培地２０の材料は先の実施形態と同じものを使用している。
【００４０】
また、上層培地マット２１と下層培地マット２２との合計の厚みは、先の実施形態と同様に４０ｍｍ〜８０ｍｍ、好ましくは、５０ｍｍ〜７０ｍｍとしており、それぞれの厚みは適宜変更可能なことは言うまでもない。
そして、この実施形態においても、上層培地マット２１と下層培地マット２２との２層からなる培地２０と、この培地２０を上面で支持する支持体１とで緑化ユニットＡを構成している。しかし、支持体１を用いずに培地２０のみで波形屋根１０の上に配設するようにしても良く、支持体１を用いなくても良いが、支持体１を用いる方が好適例である。
【００４１】
図１９は３つの通水路４３ａ、４３ｂ、４３ｃを有し、偏平な散水ホース４０ｂを上層培地マット２１の上面に配設した場合を示し、この場合は穴４１を下面側にして散水ホース４０ｂを配設した場合である。この場合では、散水ホース４０ｂの中央と左右のそれぞれの穴４１から、水は真下方向と左右方向へと散水されるので、培地２０へは満遍なく給水されることになる。
上層培地マット２１内に給水された水は、繊維質の内部へと浸透していき、さらに下層培地マット２２へも浸透し、培地２０の全体にわたって満遍なく給水されていく。
【００４２】
図２０は偏平な散水ホース４０ｂ（４０）を上層培地マット２１と下層培地マット２２との層間に、具体的には下層培地マット２２の上面に散水ホース４０ｂと配設し、その上から上層培地マット２１を覆設したものである。この場合は、穴４１を上面側にして散水ホース４０ｂを配設している。
散水ホース４０ｂの中央と左右のそれぞれの穴４１から、水は真上方向と左右方向へと勢い良く散水されるので、培地２０へは満遍なく給水される。そして、上層培地マット２１内に給水された水は、繊維質の内部へと浸透していき、さらに下層培地マット２２へも浸透し、培地２０の全体にわたって満遍なく給水されていく。
【００４３】
図２１は、下層培地マット２２と上層培地マット２１との間と、波形屋根１０の谷部１２の上面にそれぞれ散水ホース４０ｂを配設した場合を示し、波形屋根１０に配設した散水ホース４０ｂからも培地２０の下方から散水しているので、培地２０に多くの水を効率良く給水することができる。
また、散水ホース４０ｂを波形屋根１０の谷部１２の上面にのみ配設するようにしても良い。さらに、２層式の培地２０の場合に、染み出し式や点滴式の散水ホース４０ａを上層培地マット２１の上面に配設したり、上層培地マット２１と下層培地マット２２との間に配設するようにしても良い。
【００４４】
さらに、穴４１をあけた散水ホース４０ｃを上記と同様に上層培地マット２１の上面や、上層培地マット２１と下層培地マット２２との間、あるいは波形屋根１０の谷部１２の上面に任意に配設して培地２０に散水するようにしても良く、適宜に組み合わせを行なうことができるのはもちろんである。
また、上記各実施形態において、散水ホース４０の形状を断面略円形としていたが、断面形状を四角形としても良く、かかる場合は、配設し易く、かつ穴４１の位置決めが容易に行なうことができる。
【００４５】
上記各実施形態において、散水ホース４０（４０ａ、４０ｂ、４０ｃ）から水を培地２０に向けて散水するが、多量の水を散水した場合、培地２０に水が浸透していき、余分な水は上層培地マット２１から下層培地マット２２へと伝っていき、さらに下層培地マット２２の下面から支持体１の開口部２を介して波形屋根１０の空間部１３（谷部１２）へと水が落下していく。そして、下層培地マット２２から落下した水は、建物の波形屋根１０の谷部１２から端部へと流れ、さらに波形屋根１０の端部に設けられている既設の雨樋へと流れ、通常の雨水の場合と同様に流れる（排水される）ようになっている。
なお、樋が設けられていない場合は、波形屋根１０の端部から雨水の場合と同様に流れ落ちるようになっている。
【００４６】
したがって、本発明では培地２０の下面は、防水、防根用のシートを敷設せず、波形屋根１０自体の形状、つまり、波形屋根１０自体の形状から本来備えている空間部１３を利用し、散水時における余分な水は培地２０内に溜まることなく波形屋根１０の谷部１２へとスムーズに排水されるようになっている。
【００４７】
降雨時や散水時においては、あるいは肥料を与えた場合などにおいて、上層培地マット２１から下層培地マット２２へと水は浸透していく。無機繊維の上層培地マット２１及び下層培地マット２２は、繊維質のために、従来の土や種々の人工土壌と比べて保水性や保肥性が良く、上層培地マット２１及び下層培地マット２２に十分に水を与えることができる。
【００４８】
また、余分な水は、下層培地マット２２を通り越して支持体１の開口部２から波形屋根１０に流れ落ちていき、この流れ落ちた水は波形屋根１０の樋から排水される。特に、１層の場合の培地２０や、２層とした場合の培地２０はそれぞれ繊維質で構成されているので、水はけが一層良く、余分な水をスムーズに排水させることができる。また、水はけが良いので、水が培地２０内で滞留することがなく、滞留水によるレジオネラ菌が発生することもない。また、培地２０に土を用いていないので、土の類は一切流れず、余分な水のみが排水されるだけであり、濁り水（土汁）の心配や排水口のメンテナンスが不要となる。特に、大雨の場合にでも、余分な水として、濁り水を伴うことなく効率良く排水することができる。
【００４９】
また、培地２０の下面を閉塞せず、開放していることで、余分な水を培地２０に溜めることなく排水を良くすることができて、そのため、従来、水はけが悪くて根腐れを起こし易いこの種の繊維質を培地２０として本発明では使用することが可能となったものである。
【００５０】
また、波形屋根１０のジグザグ状の形状を利用して形成される空間部１３からも天然芝生２３の根に酸素（空気）を与えることができ、また、この空間部１３により従来のほとんどの人工地盤に必要であった防根層（防根シート）や防水層（防水シート）が全く不要になり、既設の建物に対しても新たな工事をする必要がなく、その分、作業費用や材料費用が無くなり、安価に緑化することができるという大きなメリットを有している。
【００５１】
特に、支持体１、上層培地マット２１及び下層培地マット２２からなる緑化ユニットＡは、建物の波形屋根１０の施工面の防水や防根対策が不要であり、そのまま施工が可能である。すなわち、施工面（波形屋根１０の上面）と培地２０の下面との間に空間部１３が形成されているので、排水性を良くし、また、この空間部１３を介して根に酸素を培地２０の繊維質の空隙を利用して供給される。さらに、下層培地マット２２（１層の場合では培地２０）の下面まで伸びてきた根は、空間部１３の空気に触れて成長が止まるものであり、空間部１３へは根は伸びないものである。そのため、波形屋根１０等の施工面には防根対策が不要となるものである。
【００５２】
また、上記のように培地２０の下面側に空間部１３が設けられていることで、散水ホース４０を波形屋根１０の谷部１２、あるいは谷部１２及び下層培地マット２２の上面に、あるいは下層培地マット２２の上面のみに配設して培地２０に散水した場合の流れ落ちた水や、培地２０から排水された余分な水は、培地２０内に滞留することなく排水されることになる。
【００５３】
特に、散水ホース４０を上層培地マット２１の上面に配設するのではなく、上層培地マット２１の下面側や、谷部１２の上に配設した場合には、散水ホース４０が外観に現れることがなく、隣の建物から見られた場合にも美観を損ねることもない。
また、培地２０の上から散水するのではなく、培地２０の下方から上方へ、また培地２０の内部から散水ホース４０にて散水させることで、建物の屋上での水やりにスプリンクラーや散水パイプで散水するのと比べて、屋上のパラペットが低かったり、風があっても水が周囲に飛び散るということもなく、周囲に迷惑をかけるということもない。
【００５４】
なお、波形屋根１０の谷部１２にのみ散水ホース４０を配設している場合、下層培地マット２２を介して上層培地マット２１へ水が浸透しにくいので、天然芝生２３の成育後の下層培地マット２２まで根が伸びてきた場合には特に有効である。なお、培地２０が１層の場合は、谷部１２のみ散水ホース４０を配設していても水は毛細管現象にて給水されるので有効である。
しかし、上層培地マット２１への効率的な給水を考えた場合、下層培地マット２２の上面に散水ホース４０を配設するのが好適例であり、特に散水ホース４０を下層培地マット２２の上面にのみ配設した場合では、コストも安価に出来る。また、この場合、散水ホース４０にて上層培地マット２１へは十分に給水でき、上層培地マット２１に給水された水が徐々に下層培地マット２２へと浸透していき、培地２０の全体にわたって効率良く給水を行なうことができる。
【００５５】
図２２は多数の緑化ユニットＡを波形屋根１０の上面に敷設した場合を示し、所定の大きさに形成されている緑化ユニットＡを順次敷設していく。散水ホース４０を床面３０にのみ配設する場合は、散水ホース４０を先に配設した後に緑化ユニットＡを敷設する。
また、下層培地マット２２の上面に散水ホース４０を敷設する場合には、ベース基盤１と下層培地マット２２を先に敷設していき、その後に散水ホース４０を配設してから上層培地マット２１を下層培地マット２２の上面に敷設していく。なお、散水ホース４０の配設の種類は、波形屋根１０の谷部１２にのみ配設する場合、下層培地マット２２の上面にのみ配設する場合、谷部１２の上と下層培地マット２２の上面の２か所に配設する場合のいずれでも良い。
【００５６】
散水ホース４０の端部は図外の器具にて閉塞し、他方の端部は接続器具４５に接続し、接続器具４５同士はホース４６に配管接続をする。また、給水元側には給水タイマー部５０が設けられていて、この給水タイマー部５０の出力側はホース４６と接続され、入力側は水道側のホース４７と接続されるようになっている。
【００５７】
図２３は上記給水タイマー部５０のブロック図を示し、この給水タイマー部５０は、例えば、朝の７時及び夕方の６時など散水する時刻を設定する散水時刻設定部５１と、散水する時の例えば、１５分、２０分などの散水時間を設定する散水時間設定部５２と、散水を毎日行なうのか、あるいは１日置きなどの散水の日を設定する散水日設定部５３と、これらの各設定部５１〜５３からの信号を受けて電磁弁５５を開閉制御する制御部５４等で構成されている。なお、この制御部５４は、例えばマイクロコンピュータで構成されている。
そして、散水時刻設定部５１では、任意の時刻に設定でき、散水時間設定部５２では任意の時間だけ散水が可能なように設定でき、散水日設定部５３においては、任意の曜日や、１カ月のうちの任意の日に設定することができるようになっている。
【００５８】
この給水タイマー部５０を水道側と緑化ユニットＡの間に介設しておくことで、緑化ユニットＡへの散水を完全に無人化（自動化）することができ、いちいち波形屋根１０の上に上がって緑化ユニットＡに散水を行なう必要がなく、また、散水を忘れることがないので、緑化ユニットＡの天然芝生２３を枯れさせるということもない。
【００５９】
このように本実施形態では、緑化ユニットＡの培地２０に無機繊維培地を用いていること、且つ培地２０の下面側に空間部１３を形成すべく波形屋根１０の形状を利用していることを前提として、上記散水ホース４０を設置していることで、培地２０の下面や中間層から培地２０へ効率良く且つ満遍なく給水することができる。また、空間部１３により根に空気を送ることもでき、さらに、無機繊維の培地２０で飽和になった水の排水を効率良く行なうことができる。
【００６０】
また、散水ホース４０を下層培地マット２２の上面に配設した場合には、散水ホース４０からの水は無駄なく上層培地マット２１及び下層培地マット２２に給水することができる。また、散水ホース４０を波形屋根１０の谷部１２に配設する場合には、散水ホース４０を単に谷部１２上に配置するだけなので、散水ホース４０の施工が容易となる。特に、偏平な散水ホース４０ｂの場合には、穴４１の位置が特定されるので、穴４１の位置を考えることなく単に散水ホース４０を配設するだけで良く、施工が容易となる。
さらに、偏平な散水ホース４０ｂの場合において、該散水ホース４０ｂを上層培地マット２１と下層培地マット２２との間に配設する場合、散水ホース４０ｂ自体の厚みが薄いので、上層培地マット２１の上面の膨らみもあまり目立たず、隣接する建物から見られた場合でもそれほど違和感を与えることはない。
【００６１】
また、波形屋根１０の上面に略全体にわたって緑化ユニットＡを敷設することで、断熱効果を発揮し、夏場では建物内の温度の上昇を防止することができる。したがって、冷房に要するコストを削減でき、そのため、ＣＯ2 （二酸化炭素）の削減に供することができる。
【００６２】
なお、本発明に係る波形屋根の緑化システムにおいて、緑化ユニットＡには土類を一切使用していないので、超軽量であり、そのため、折版屋根に限らず、他の金属屋根や樹脂、スレート屋根にも対応できるものである。
【００６３】
また、上記の各実施形態において、植物の例として天然芝生２３の場合について説明したが、天然芝生２３に限らず、他の植物でも本発明を適用することができるものである。
【図面の簡単な説明】
【００６４】
【図１】本発明の第１の実施の形態における緑化ユニットの断面図である。
【図２】本発明の第１の実施の形態における緑化ユニットの分解断面図である。
【図３】本発明の第１の実施の形態における緑化ユニットの平面図である。
【図４】本発明の第１の実施の形態における支持体の平面図である。
【図５】本発明の第１の実施の形態における他の例の支持体の平面図である。
【図６】本発明の第１の実施の形態における染み出し式の散水ホースを培地の上面に配設した場合の要部拡大断面図である。
【図７】本発明の第１の実施の形態における散水ホースを配設した場合の緑化ユニットの平面図である。
【図８】本発明の第１の実施の形態における偏平な散水ホースを培地の上面に配設した場合の要部拡大断面図である。
【図９】本発明の第１の実施の形態における偏平な散水ホースの説明図である。
【図１０】本発明の第１の実施の形態における偏平な散水ホースの要部平面図である。
【図１１】本発明の第１の実施の形態における偏平な散水ホースを波形屋根の谷部の上面に配設した場合の要部拡大断面図である。
【図１２】本発明の第１の実施の形態における噴射式の散水ホースを波形屋根の谷部の上面に配設した場合の要部拡大断面図である。
【図１３】本発明の第１の実施の形態における噴射式の散水ホースの要部平面図である。
【図１４】本発明の第１の実施の形態における噴射式の散水ホースの説明図である。
【図１５】本発明の第１の実施の形態における噴射式の散水ホースの他の例を示す図である。
【図１６】本発明の第１の実施の形態における噴射式の散水ホースの穴を横方向に設けた場合の説明図である。
【図１７】本発明の第１の実施の形態における噴射式の散水ホースの穴を横方向に設けた場合の説明図である。
【図１８】本発明の第２の実施の形態における緑化ユニットの断面図である。
【図１９】本発明の第２の実施の形態における偏平な散水ホースを培地の上面に配設した場合の要部拡大断面図である。
【図２０】本発明の第２の実施の形態における偏平な散水ホースを上層培地マットと下層培地マットとの層間に配設した場合の要部拡大断面図である。
【図２１】本発明の第２の実施の形態における偏平な散水ホースを波形屋根の谷部と上層培地マットと下層培地マットとの層間に配設した場合の要部拡大断面図である。
【図２２】本発明の実施の形態における多数の緑化ユニットを敷設した場合の図である。
【図２３】本発明の実施の形態における給水タイマー部のブロック図である。
【符号の説明】
【００６５】
Ａ  緑化ユニット
１  支持体
２  開口部
１０  波形屋根
１２  谷部
１３  空間部
２０  培地
２１  上層培地マット
２２  下層培地マット
４０  散水ホース
４０ａ、４０ｂ、４０ｃ  散水ホース
４３ａ、４３ｂ、４３ｃ  通水路
５０  給水タイマー部
【図１】
2005124434.tif 000003
【図２】
2005124434.tif 000004
【図３】
2005124434.tif 000005
【図４】
2005124434.tif 000006
【図５】
2005124434.tif 000007
【図６】
2005124434.tif 000008
【図７】
2005124434.tif 000009
【図８】
2005124434.tif 000010
【図９】
2005124434.tif 000011
【図１０】
2005124434.tif 000012
【図１１】
2005124434.tif 000013
【図１２】
2005124434.tif 000014
【図１３】
2005124434.tif 000015
【図１４】
2005124434.tif 000016
【図１５】
2005124434.tif 000017
【図１６】
2005124434.tif 000018
【図１７】
2005124434.tif 000019
【図１８】
2005124434.tif 000020
【図１９】
2005124434.tif 000021
【図２０】
2005124434.tif 000022
【図２１】
2005124434.tif 000023
【図２２】
2005124434.tif 000024
【図２３】
2005124434.tif 000025